(57)【要約】      （修正有）【課題】椅子としても使用でき、脊椎伸展の運動効果も得られる背筋が伸びる椅子の構造を提供する。【解決手段】背筋が伸びる椅子の構造は、椅子シ−ト１０、支持棒２０、及び背部３０で構成される。支持棒は椅子シ−トの後方に枢設され、二端には支持柱２１が凸設され、各支持柱には枢設部が形成される。背部の二側の中段の適切な箇所には枢動結合部が形成され、第一枢動棒４１は背部の枢動結合部及び支持棒の枢設部の間に枢設され、背部は２本の支持柱で自由に傾斜角度をつけて回転できる。使用者が背を背部にもたれかけて後に反らすと、使用者の脊椎が大きく伸展する動作が補助され、また椅子としても使用可能である。【選択図】図１
0003193498.tif 000002
【実用新案登録請求の範囲】
【請求項１】
椅子シ−ト及び背部を備える背筋が伸びる椅子の構造の改良であって、
前記椅子シ−トの後方には支持棒が設置され、且つ前記支持棒の二端には支持柱が凸設され、各前記支持柱には枢設部が形成され、前記背部の２本の前記支持柱の二側の中段に対応する適切な箇所には枢動結合部が形成され、前記背部の枢動結合部は前記支持棒の枢設部の位置に枢動するよう結合され、前記背部は２本の前記支持柱上で自由に角度を傾斜させて回転し、使用者の背を後に反らせて脊椎を伸展させる動作を補助させることを特徴とする背筋が伸びる椅子の構造の改良。
【請求項２】
各前記支持柱上の枢設部及び前記背部の枢動結合部は貫通孔であり、第一枢動棒が枢設部及び枢動結合部に穿設され重なった後、他端はナットにより固定されて前記背部が前記支持棒に枢設されることを特徴とする、請求項１に記載の背筋が伸びる椅子の構造の改良。
【請求項３】
支持棒は折り畳み構造で前記椅子シ−トの後方に装設され、折り畳み構造は２本の前記支持柱の底端に枢動板が各々設置され、且つ各前記枢動板の円周面の外周には若干のラチェットが形成され、前記椅子シ−トの対応して装設される２本の前記支持柱の末端には凹部が形成され、前記凹部内には第二枢動棒によりストッパー及び弾性体が枢結され、前記ストッパーの外端は前記ラチェットに嵌設され、前記弾性体の二端の端部は前記ストッパー及び凹部内壁の間に設けられ、且つ２枚の前記枢動板を前記二つの凹部内に設置することは、第三枢動棒により穿設されて固定され、前記支持棒に枢設される背部は前記椅子シ−トを斜めにしてある角度のように調整され、使用者は異なる角度で背筋を伸ばせ、椅子としても使用でき収納も便利であることを特徴とする、請求項１に記載の背筋が伸びる椅子の構造の改良。
【考案の詳細な説明】
【技術分野】
【０００１】
本考案は、椅子の背部に改良を加えた構造に関する。
【背景技術】
【０００２】
生活と仕事の形態の変化に伴い、現代人は多くが長時間椅子に座り仕事をするため、長時間悪い姿勢で座り続けると脊椎に好ましくない過度な圧力がかかる。しかも現代人は多忙なため外へ出て運動する機会も少なく、背筋を適度にストレッチすることが出来ない。椅子の種類は多く、ソファ、デッキチェア、ラウンジチェア、和式椅子、オフィスチェア、更には運動用椅子等もあるが、但しこれらの椅子の構成は大部分が下方の椅子シ−トの後方に背部が装設され、一部は背部が角度をつけ傾斜することで使用者の背を後に反らせるように設計され、使用者に背筋を伸ばす動作を行わせる。
【考案の概要】
【考案が解決しようとする課題】
【０００３】
しかしながら、従来の椅子の背部は椅子シ−トに連結されて固定され、このため使用者に小さい傾斜角度で後に背を反らせるが、補助背や背筋をリラックスさせるには不十分であり、改善の必要があった。
【０００４】
そこで、本考案者は上記の欠点が改善可能と考え、鋭意検討を重ねた結果、合理的かつ効果的に課題を改善する本考案の提案に到った。
【０００５】
本考案は、上述のような従来の問題を解決するためになされたもので、上記課題解決のため、本考案は、背筋が伸びる椅子の構造の改良を提供することを主目的とする。すなわち、椅子の背部には独立して傾斜角度をつけられる傾動設計を有し、使用者の脊椎を大きな傾斜角度をつけ後に反らせて伸展動作を行わせ、椅子としても使用でき、脊椎伸展の運動効果も得られる。
【課題を解決するための手段】
【０００６】
上述した課題を解決し、目的を達成するために、本考案に係る背筋が伸びる椅子の構造の改良は、椅子シ−ト、支持棒、及び背部で構成される。前記椅子シ−トは一般的な造形の椅子シ−ト構造であり、外層にはシートクッションが覆設され、後方には前記支持棒が装設される。前記支持棒の二端には支持柱を凸設し、２本の前記支持柱の下端は重畳構造で前記椅子シ−トに結合され、上端には穿孔状の枢設部が形成され、前記背部に枢設される。前記背部の２本の前記支持柱の二側の中段に対応する適切な箇所には穿孔形態の枢動結合部が形成され、第一枢動棒は枢設部及び枢動結合部に穿設されて重なった後、他端はナットにより固定されて前記背部は前記支持棒に枢設され、前記背部は２本の前記支持柱で独自に傾斜角度をつけて回転する。また、前記支持棒及び椅子シ−トの重畳構造は、２本の前記支持柱の底端には枢動板がそれぞれ設置され、各前記枢動板の円周面の外周には若干のラチェットが形成される。前記椅子シ−トに対応して装設される２本の前記支持柱の末端には凹部が形成され、前記凹部内には第二枢動棒によりストッパー及び弾性体が枢結され、前記ストッパーの外端は前記ラチェットに嵌設される。前記弾性体の二端の端部は前記ストッパー及び凹部内壁の間に設けられ、２枚の前記枢動板は２つの前記凹部内に設置され、第三枢動棒が穿設されることで固定される。前記支持棒は前記椅子シ−ト上で重畳動作が可能であり、椅子の収納に用いられる。これにより、前記背部が前記支持棒上で独立して大きく傾斜角度をつけ回転可能な構造設計により、使用者の背を大きく後に反らせる動作を補助させ、筋肉及び背筋をほぐす目的を達成させ、椅子の機能性を向上させる。
【考案の効果】
【０００７】
本考案によれば、筋肉及び背筋をほぐす目的の達成が得られる。
【図面の簡単な説明】
【０００８】
【図１】本考案を説明する外観斜視の構成図である。
【図２】本考案を説明する斜視の展開図である。
【図３】本考案の折り畳み構造を説明する断面模式図である。
【図４】本考案のクッション及びシートクッションを説明する外観斜視図である。
【図５】本考案のクッション及びシートクッションを説明する側面図(一)である。
【図６】本考案のクッション及びシートクッションを説明する側面図（二）である。
【図７】本考案が後ろに傾斜した状態を説明する概略図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
＜第１実施形態＞
【００１０】
以下、第１実施形態を図１乃至図７を参照しながら説明する。本考案の背筋が伸びる椅子の構造の改良は椅子シ−ト１０、支持棒２０、及び背部３０を備える。前記椅子シ−ト１０は一般的な椅子構造であり、外縁にはシートクッション５１が覆設される。本考案によると、椅子シ−ト１０の前方の二側には手すり部１１が凸設され、後方の端縁箇所には凹部１２が形成され、前記凹部１２内には第二枢動棒４２によりストッパー４３及び弾性体４４が枢結され、前記支持棒２０が装設される。
【００１１】
前記支持棒２０はＨ字型を呈し、二端には支持柱２１が凸設され、各前記支持柱２１の上方には貫通孔形態を呈する枢設部２２が形成され、第一枢動棒４１が穿設された後に前記背部３０に枢設される。また、２本の前記支持柱２１の底端には半円状の枢動板２３が各々設置され、各前記枢動板２３の円周面の外周には若干のラチェット２４が形成される。
【００１２】
また、前記背部３０は一般的な背部構造であり、外縁にはランバーサポート５２が覆設され、２本の前記支持柱２１の二側の中段に対応する適切な箇所には枢動結合部３１が形成され、前記枢動結合部３１は貫通孔であり、前記背部３０は前記支持棒２０の２本の支持柱２１の間に設置され、枢設部２２及び枢動結合部３１が重なった後、第一枢動棒４１が穿設され、他端はナット４６により固定され、前記背部３０は活動構造で前記支持棒２０に枢設される。
【００１３】
上述したように、前記椅子シ−ト１０と支持棒２０との間の組合せは、２枚の前記枢動板２３が２つの前記凹部１２内に装設され、第三枢動棒４５により穿設されて固定される。また、前記ストッパー４３の外端はラチェット２４の位置に嵌設され、前記弾性体４４の二端の端部４４１は前記ストッパー４３及び凹部１２の内壁の間に設けられる。前記椅子シ−ト１０及び支持棒２０の間には重畳構造が形成され、背部３０が連動されて９０度の角度で重畳され、前記支持棒２０に枢設される背部３０は前記椅子シ−ト１０上で傾斜角度が調整され、使用者は異なる角度で脊椎の伸展を行え、椅子の収納も便利になる。
【００１４】
したがって、上述の構造構成及び前記背部３０が前記支持棒２０上で独立して大きな傾斜角度で回転可能な構造設計により、使用者が背を背部３０にもたれかけると、使用者の背を大きく後に反らせる動作を補助させ（図７参照）、筋肉及び背筋をほぐす目的を達成させ、椅子の機能性を向上させる。
【００１５】
以上、本考案の実施形態について図面を参照して詳述したが、具体的な構成はこの実施形態に限られるものではなく、本考案の要旨を逸脱しない範囲の設計変更等も含まれる。
【符号の説明】
【００１６】
１０ 椅子シ−ト
１１ 手すり部
１２ 凹部
２０ 支持棒
２１ 支持柱
２２ 枢設部
２３ 枢動板
２４ ラチェット
３０ 背部
３１ 枢動結合部
４１ 第一枢動棒
４２ 第二枢動棒
４３ ストッパー
４４ 弾性体
４４１ 端部
４５ 第三枢動棒
４６ ナット
５１ シートクッション
５２ ランバーサポート
【図１】
0003193498.tif 000003
【図２】
0003193498.tif 000004
【図３】
0003193498.tif 000005
【図４】
0003193498.tif 000006
【図５】
0003193498.tif 000007
【図６】
0003193498.tif 000008
【図７】
0003193498.tif 000009
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
椅子シ−ト及び背部を備える背筋が伸びる椅子の構造であって、
前記椅子シ−トの後方には支持棒が設置され、且つ前記支持棒の二端には支持柱が凸設され、各前記支持柱には枢設部が形成され、前記背部の２本の前記支持柱の二側の中段に対応する適切な箇所には枢動結合部が形成され、前記背部の枢動結合部は前記支持棒の枢設部の位置に枢動するよう結合され、前記背部は２本の前記支持柱上で自由に角度を傾斜させて回転し、使用者の背を後に反らせて脊椎を伸展させる動作を補助させることを特徴とする椅子の構造。
【請求項２】
各前記支持柱上の枢設部及び前記背部の枢動結合部は貫通孔であり、第一枢動棒が枢設部及び枢動結合部に穿設され重なった後、他端はナットにより固定されて前記背部が前記支持棒に枢設されることを特徴とする、請求項１に記載の椅子の構造。
【請求項３】
支持棒は折り畳み構造で前記椅子シ−トの後方に装設され、折り畳み構造は２本の前記支持柱の底端に枢動板が各々設置され、且つ各前記枢動板の円周面の外周には若干のラチェットが形成され、前記椅子シ−トの対応して装設される２本の前記支持柱の末端には凹部が形成され、前記凹部内には第二枢動棒によりストッパー及び弾性体が枢結され、前記ストッパーの外端は前記ラチェットに嵌設され、前記弾性体の二端の端部は前記ストッパー及び凹部内壁の間に設けられ、且つ２枚の前記枢動板を前記二つの凹部内に設置することは、第三枢動棒により穿設されて固定され、前記支持棒に枢設される背部は前記椅子シ−トを斜めにしてある角度のように調整され、使用者は異なる角度で背筋を伸ばせ、椅子としても使用でき収納も便利であることを特徴とする、請求項１に記載の椅子の構造。